(57)【要約】      （修正有）【課題】電池等の蓄電手段を内蔵しない送信器において、制御信号が送信されたか否かを容易に判別することができる送信器を提供する。【解決手段】リモコン装置１０は、本体１１、本体１１に設けられ押圧操作可能に構成された操作部１２、操作部１２によって電力を発生させる発電部１３、操作部１２に対応して設定された識別番号を記憶する記憶部１４、操作部１２の操作に応じて制御信号を生成する制御部１５、制御部１５で生成した制御信号を送信する送信部１６、制御信号を送信するときに操作部の操作に応じて発生した電力を用いて報知する報知手段１７、制御信号を送信したことを判定する判定部１８を有している。【選択図】図２
2012064388.tif 000002
【特許請求の範囲】
【請求項１】
本体と；
この本体に配設された操作部と；
この操作部の操作によって発電する発電部と；
識別番号を記憶する記憶部と；
前記操作部を操作したときに前記発電部で発電した電力を用いて前記記憶部に記憶した識別番号とともに制御信号を送信する送信部と；
前記送信部から制御信号を送信するときに、前記発電部で発電した電力を用いて報知する報知手段と；
を具備したことを特徴とする送信器。
【請求項２】
前記送信部が制御信号を送信したことを判定する判定部を有し、判定部が制御信号を送信したと判定した後に前記報知部で報知することを特徴とする請求項１に記載の送信器。
【請求項３】
前記発電部によって発電した電力量が、送信部から制御信号を送信するとともに報知部で報知するために必要な所定量か否かを判断する判断部を有し、この判断部が所定量以上と判断した場合には制御信号を送信するとともに報知部で報知し、所定量未満の場合には制御信号を送信しないことを特徴とする請求項１または２に記載の送信器。
【請求項４】
照明器具と；
請求項１ないし３のいずれか一に記載の送信器と；
前記送信器から送信された制御信号を受信する中継器と；
中継器を介して受信した制御信号によって、前記照明器具を制御する制御端末器と；
を具備したことを特徴とする照明制御システム。
【発明の詳細な説明】
【技術分野】
【０００１】
本発明の実施形態は、操作部の操作によって発電し、発電した電力を用いて制御信号を送信する送信器に関する。
【背景技術】
【０００２】
従来から、リモコン等によって照明器具の光源を点消灯、または調光制御する技術が知られている。例えば、１つの操作ボタンで操作毎に予め決められた数段の点灯モードを順送りするものや、点灯モードの数だけ操作ボタンを備えるリモコン送信部で各々の操作ボタンを操作することにより各点灯モードを直接選択するものなどがある。また、リモコンに調光用ボタンとモード切替ボタンを設け、無線によって光源を点滅・調光制御することができるものもある（例えば、「特許文献１」参照）。
【先行技術文献】
【特許文献】
【０００３】
【特許文献１】特開平９−２６００６７号公報
【発明の概要】
【発明が解決しようとする課題】
【０００４】
従来のリモコン装置は、電池等の蓄電手段を内蔵し、操作部の操作に応じて蓄電手段の電力を用いて制御信号を送信するものが一般的である。このようなリモコン装置は、電池が消耗すると所望の信号を送ることができなくなり、操作しても送信先の機器が反応しなくなる。このため、適宜電池を交換しておかなければ必要なときに使用することができない場合がある。さらに、電池が寿命になっているか否かは送信先の機器が反応するか否かで判断していた。すなわち、リモコン装置側で制御信号を送信したか否かを判断することができなかった。
【０００５】
本発明は、このような点に鑑みなされたもので、電池等の蓄電手段を内蔵しない送信器において、制御信号が送信されたか否かを容易に判別することができる送信器を提供することを目的とする。
【課題を解決するための手段】
【０００６】
実施形態の送信器は、本体に配設された操作部の操作に応じて発電するとともに、この発電した電力によって制御信号を送信するとともに報知する報知手段を備える。
【発明の効果】
【０００７】
本発明の送信器によれば、送信器が制御信号を送信したことを使用者が認識することができる。
【図面の簡単な説明】
【０００８】
【図１】実施形態に係る送信器を用いた照明制御システムの全体構成図である。
【図２】第１の実施形態の送信器の回路構成を示すブロック図である。
【図３】同上送信器の制御例を示すフローチャート図である。
【図４】第２の実施形態の送信器の回路構成を示すブロック図である。
【図５】同上送信器の制御例を示すフローチャート図である。
【図６】第３の実施形態の送信器を示すブロック図である。
【発明を実施するための形態】
【０００９】
以下、第１の実施形態を図面を参照して説明する。
【００１０】
図１に本実施形態に係る照明制御システムLの全体構成図を示し、図２は本実施形態に係る送信器としてのリモコン装置の回路構成を示すブロック図、図３はリモコン装置の制御例を示すフローチャートである。
【００１１】
照明制御システムLは、制御端末器１、伝送線２を介して制御端末器１と接続される複数の照明器具３および中継器としての無線中継器４、無線中継器４へ制御信号を無線で送信可能な送信器としてのリモコン装置１０で構成される。
【００１２】
リモコン装置１０は、操作部１２の操作によって予め記憶した識別番号とともに制御信号を送信する。識別番号は、リモコン装置１０に２以上の操作部１２が設けられている場合には、操作部１２毎に異なる番号が記憶されている。この場合には、操作した操作部１２に対応する識別番号が制御信号に含まれることになる。制御信号には識別番号以外に例えば照明を点消灯、調光、調色制御するための制御情報が含まれていてもよい。また、リモコン装置１０は操作部１２を押圧操作したとき、操作部１２の押圧操作を離したときのいずれか一方のタイミング、あるいは両方のタイミングにおいて制御信号を送信するようにしてもよく、押操作したときと押操作を離したときとで異なる識別情報が制御信号に含まれるようにしてもよい。すなわち、リモコン装置１０に複数の操作部１２が設けられている場合には、それぞれの操作部１２に対応する識別番号を制御信号に含ませることによって、どの操作部が操作されたかを受信側で判別できるようにし、さらに押圧操作したときと押圧操作を解除したときとで異なる識別情報を制御信号に含ませることによって、一つの操作部１２の操作によって２種類の制御信号を送信することができる。
【００１３】
無線中継器４は、リモコン装置１０から送信された制御信号を受信すると、伝送線２を介して制御端末器１へ制御信号を送信する。なお、無線中継器４は伝送線２の複数箇所に設けるようにしても良く、本実施形態では制御端末器１と無線中継器４とを別体で構成しているが、一体的に構成しても良い。
【００１４】
制御端末器１は、各照明器具３のそれぞれの個別IDとリモコン装置１０から送信される制御信号に含まれる識別番号とを対応付けて予め記憶している。リモコン装置１０から送信された制御信号を無線中継器４を介して受信すると、制御信号に含まれる識別番号に対応する照明器具３の個別IDを読み出すとともに、当該個別IDの照明器具に対し、点消灯、調光、調色制御情報のうち少なくとも一つを制御情報として制御信号を送信する。なお、識別番号に対応する照明器具の個別IDを１つとして個別制御するようにしても良いし、２以上の個別IDを対応付けてグループ制御するようにしても良い。
【００１５】
照明器具３は、自己のID情報を記憶するとともに制御端末器１から自己のID情報を含む制御信号を受信したときは、制御信号に含まれる制御情報に基き点消灯、調光、調色制御を行う。
【００１６】
なお、制御端末器１と無線中継器４、制御端末器１と照明器具３等の通信は伝送線２の代わりに全て無線で行う構成であっても良い。
【００１７】
図２に示すように、リモコン装置１０は、本体１１、本体１１に設けられ押圧操作可能に構成された操作部１２、操作部１２の操作によって電力を発生させる発電部１３、操作部１２に対応して設定された識別番号を記憶する記憶部１４、操作部１２の操作に応じて制御信号を生成する制御部１５、制御部１５で生成した制御信号を送信する送信部１６、制御信号を送信するときに操作部の操作に応じて発生した電力を用いて報知する報知手段としての報知部１７、制御信号を送信したことを判定する判定部１８を有している。
【００１８】
報知部１７は、例えばLED等の報知用の光源、音を発生させるためのスピーカ、振動を発生させるモータ等を用いることができる。
【００１９】
次に、図３のフローチャートに従って、制御部１５の制御例について説明する。
【００２０】
ステップS1では、制御部１５は電力が供給されておらず駆動していないため待機状態である。ステップS2で、操作部１２が操作されると発電部１３で電力が発生し、制御部１５へ電力が供給されてステップS３へ進む。なお、ステップS2で電力が供給されるまでは待機状態が継続することになる。制御部１５は操作部１２が複数ある場合にはどの操作部１２が操作されたかを認識可能に構成されており、ステップS３で制御部１５は供給された電力を用いて操作された操作部１２に対応する識別番号を記憶部１４から読み出すとともに制御信号を生成し、制御信号を送信部１６から送信する。判定部１８は、制御信号が正常に送信されたことを判定するものであり、ステップS４にて正常に送信できたと判定したときには、ステップS5へ進み余剰の電力を用いて報知部１７で報知するように処理を行う。ステップS４で正常に制御信号を送信できなかったときは処理を中断しステップS２の待機状態に戻る。
【００２１】
このように、操作部１２の操作によって発電部１３で発電するとともに発生した電力を用いて制御信号を送信するリモコン装置１０において、制御信号を送信するときに報知部１７によって報知することができるため、使用者は正常に操作部１２を操作できたか否かを容易に判断することができる。仮にリモコン装置１０から制御信号を送信しても照明器具３の応答が遅い場合、報知手段がなければ再度リモコン装置１０を操作することが想定され、この場合には何度も操作部１２を操作することになって煩雑である。また、操作部１２の操作に応じて発生する電力を用いて制御信号の送信と報知を行うので、別途蓄電手段を具備する必要が無く、装置を簡単化することができるとともに電池交換等の手間がなくなる。
【００２２】
なお、本実施形態では判定部１８を設けて制御信号を正常に送信したことを判定したときに報知部１７で報知するようにしたが、判定部１８を省略し発生した電力で制御信号の送信とは独立した構成で制御信号の送信と同時もしくは多少前後して報知を行うようにしても良い。また、判定部１８によって正常に制御信号を送信することができなかった場合に正常に制御信号を送信できたときとは異なる報知を行うようにしても良い。例えば、正常に制御信号を送信したときは１回だけ音を発生させ、あるいは１回だけ光源を点滅させ、正常に制御信号を送信できなかったときは２回以上音を発生させ、あるいは２回以上光源を点滅させても良い。さらに、報知部１７とは異なる第２の報知手段を設けておき、正常に制御信号を送信したときは報知部１７で報知し、正常に制御信号を送信できなかったときは第２の報知手段で報知するようにしても良い。
【００２３】
次に、第２の実施形態の送信器としてのリモコン装置について図４、図５を用いて説明する。第２の実施形態は第１の実施形態のリモコン装置に判断部を設けた以外は同じ構成であるため重複する構成については詳細な説明を省略する。
【００２４】
図４に示すように、制御部２５は操作部２２の操作によって発電部２３で発生した電力量が所定量か否かを判断する判断部２９を有している。この所定量は、例えば送信部から制御信号を送信するとともに報知部で報知するために必要な電力量である。
【００２５】
次に、図５を用いて制御部２５の制御例について説明する。
【００２６】
ステップS10は、ステップS1と同様に制御部２５に電力が供給されておらず駆動していないため待機状態である。ステップS20で、操作部２２が操作されると発電部２３で電力が発生し、制御部２５へ電力が供給されてステップS21へ進む。なお、ステップS20で電力が供給されるまでは待機状態が継続することになる。制御部２５は、発電部２３で発生した電力量が送信部２６から制御信号を送信するとともに報知部２７で報知するために必要な所定量か否かを判断する判断部２９を有しており、所定量と判断した場合にはステップS30へ進む。一方、ステップS21で所定量未満であると判断した場合には処理を中断しステップS20の待機状態に戻る。ステップS30で制御部２５は供給された電力を用いて操作された操作部２２に対応する識別番号を記憶部２４から読み出すとともに制御信号を生成し、制御信号を送信部２６から送信する。さらに、ステップS40にて正常に制御信号を送信できたと判定したときには、ステップS5へ進み余剰の電力を用いて報知部２７で報知するように処理を行う。ステップS40で正常に制御信号を送信できなかったときは処理を中断しステップS20の待機状態に戻る。
【００２７】
このように第２の実施形態では、判断部２９によって発生した電力量が必要な所定量か否かを判断してから制御信号を送信し、報知を行うため、操作部２２の操作が十分でなかった等、発電部２３で発生する電力量が所定量未満の不十分な場合には処理を中断することができる。このため、報知だけ行われて制御信号が送信されない等の不具合を抑制することができる。
【００２８】
次に、第３の実施形態の送信器としてのカードリーダについて図６を用いて説明する。カードリーダ３０は、本体３１、本体３１の略中央部に設けられたカード差込口S、カード差込口Sの内側に設けられた操作部としての回転部３２を有している。回転部３２は左右に一対設けられており、カードCがカード差込口Sの上部から挿入され下方へ移動すると、カードCの動きによって回転部３２が回転し、この動力によって発電部３３で電力が発生する。第３の実施形態における回転部３２は、第１および第２の実施形態と異なり操作部の操作をカードCの操作によって間接的に行うものである。
【００２９】
発生した電力はまず制御部３５へ供給され、カード情報の読み取り制御が行われる。すなわち、制御部３５にはカード情報を読み取るための読み取り手段が設けられており、カード情報を非接触で読み取ることができる。読み取り手段としては、例えばカードの磁気情報や、カードから発生する微弱な電波を受信するような公知の技術を用いることができる。記憶部３４には予め認識情報が記憶されており、制御部３５は読み取ったカード情報と認識情報とを比較し、制御信号を送信するか否かを判定する。制御信号を送信する場合には、制御部３５は制御信号を生成し送信部３６から無線で信号を送信するとともに報知手段としての報知部３７で報知する。これによって使用者は、制御信号が送信されたか否かを容易に判断することができる。また、カードリーダ３０はカードの操作によって発電した電力を用いて制御信号の送信と報知を行うため、電線の引き回しが必要なくなり、自由に設置することができる。また、蓄電手段を内蔵していないので電池交換の手間を無くし、小型化することができる。
【００３０】
このようなカードリーダは、例えばカード情報の認証によってドアを開閉するような場所に適用することができる。すなわち、カードリーダ３０はカード情報を読み取り、認証することでドアを開錠するための制御信号を送信し、受信側は、制御信号を受信することによってドアを開錠する。
【００３１】
なお、本実施形態において、制御信号が正常に送信できたことを判定する判定部を設けても良いし、第２の実施形態と同様に発電した電力量が所定の処理を行うために必要な所定量か否かを判断する判断部を設けても良い。
【００３２】
さらに、制御部３５はカード情報を読み取った後に認証を行うことなく、カード情報とともに制御信号を送信するようにし、受信側でカード情報の認証等の処理を行っても良い。
【符号の説明】
【００３３】
L…照明制御システム、１…制御端末器、３…照明器具、４…無線中継器、１０、２０…送信器としてのリモコン装置、３０…送信器としてのカードリーダ、１１、２１、３１…本体、１２、２２、３２…操作部、１３、２３、３３…発電部、１４、２４、３４…記憶部、１５、２５、３５…制御部、１６、２６、３６…送信部、１７、２７、３７…報知部、
１８、２８…判定部、２９…判断部
【図１】
2012064388.tif 000003
【図２】
2012064388.tif 000004
【図３】
2012064388.tif 000005
【図４】
2012064388.tif 000006
【図５】
2012064388.tif 000007
【図６】
2012064388.tif 000008